(57)【要約】【課題】  充電中に表示部による表示動作と裏面に配したスピーカにより音声を出力する携帯電子機器に適用して、安定した載置状態と良好な音声出力が得られる携帯電子機器用充電装置を提供すること。【解決手段】  携帯電子機器用充電装置１の本体２に、横長状の上方に向けて傾斜した前面２２と同じく上方に向けて傾斜した後面２３とを形成し、長方形の筐体４５の表面に表示部４６を配し、筐体４５の裏面に一対のスピーカ４９Ｌ，４９Ｒを配した携帯電子機器である携帯電話機４について長手方向を横にして傾けて装着する装着部３を前面２２に形成し、スピーカ４９Ｌ、４９Ｒが対向する位置と後面２３との間に通路２５Ｌ、２５Ｒを形成し、スピーカ４９Ｌ、４９Ｒにより発生された音声を通路２５Ｌ、２５Ｒを通して本体２から放出する。【選択図】    図１
2009111858.tif 000002
【特許請求の範囲】
【請求項１】
載置面としての底部と、横長状の上方を向いて傾斜した前面と、同じく上方を向いて傾斜した後面とを有する本体と、
長方形の筐体の表面に表示部と操作部とを配し、該筐体の後面に一対のスピーカを配し、該筐体に内蔵された電池に充電電圧を印加する充電用端子を該筐体の裏面に配した携帯電子機器を、その長手方向を横向きにした状態で前記筐体の表面を上方に向け傾けて装着するために前記前面に形成された装着部と、
前記スピーカが対向する位置と前記後面との間を連なって形成した音声のための一対の通路と、
前記装着部に設けた前記充電用端子と接続する給電用端子と、を備え、
前記携帯電子機器が装着部に装着された状態で上方に向いて傾いた前記表示部による表示動作と前記スピーカにより音声の発生とを行うように構成したことを特徴とする携帯電子機器用充電装置。
【請求項２】
前記通路は、互いに隔壁によって隔てられ、一方の通路が前記本体と該隔壁によってホーン状に形成され、他方の通路が前記隔壁と前記装着部に装着された携帯電子機器の後面とによってホーン状に形成されていることを特徴とする請求項１に記載の携帯電子機器用充電装置。
【発明の詳細な説明】
【技術分野】
【０００１】
本発明は、長方形の筐体の表面に表示部と操作部とを配し、筐体の裏面に一対のスピーカを配し、筐体に内蔵された電池に充電電圧を印加する充電用端子を筐体の裏面に配した携帯電子機器のための携帯電子機器用充電装置に係り、特に、充電中に表示部による表示動作を行うと共に、スピーカにより音声を出力する携帯電子機器に適用した携帯電子機器用充電装置に関する。
【背景技術】
【０００２】
従来、携帯電子機器を充電するために用いられる充電装置は、例えば、下記の特許文献１（特許第３５４０２９３号公報）に記載されている。これは、充電装置の筐体が樹脂成型によって形成され、その上部に携帯電子機器である携帯電話機がガイド部に嵌合されて装着される凹状の嵌合部を有している。ガイド部の側面には、携帯電話機を固定するためのフック部が配設されている。
【０００３】
携帯電話機が装着される面、即ち嵌合部の底面には、携帯電話機に充電電圧を印加するための一対のスプリングの給電端子を出没させるための開孔と、回転片の一端に設けられた突出部を出没させるための透孔とが充電装置の幅方向左右にそれぞれ２個ずつ設けられている。この構成によって、携帯電話機が突出部を押すことにより給電端子を嵌合部に出没させ充電受電端子に接触して充電を行うようになっている。上記特許文献１に開示された技術は、携帯電話機が充電装置にその表面を真上に向けて装着されているので、装着されている携帯電話機の表示部を視認しがたい。
【０００４】
一方、近年における携帯電話機には、画像を表示する機能を有したものに音声を聴くためのスピーカを備えたものがある。そこで、このような携帯電話機を充電しながら画像と音声を視聴するためのものとして、例えば、下記の特許文献２（特開２００５−１３６８９５号公報）に示す卓上ホルダが提案されている。この携帯電話機は、画像表示部が設けられている面を正面として、左右の側面にそれぞれステレオ再生用のスピーカが設けられている。
【０００５】
この携帯電話機を保持する卓上ホルダは、折り畳まれた携帯電話機の底部を挿入するためのポケットをホルダ下部に形成し、携帯電話機の背面を支える背もたれ部分を形成し、ホルダ上部に携帯電話機をガイドするガイドレールを形成し、ホルダ上部のガイドレールの外側に沿って音響反射板を設けたものである。
【０００６】
スピーカから再生された音声は音響反射板で反射されて正面方向に向かうため、スピーカから正面方向に向かう音が増加する。これにより、携帯電話機を卓上ホルダに保持した状態で、画像表示部で表示される画像を見ながら十分な音量と高品質の音質で音声を聴くことができる。また、上記特許文献２に開示された技術においては、音響反射板に代えてホーン状部材を設けることによって、スピーカから発生する音声を効率よく正面方向に向かわせることができる。
【０００７】
このように、上記特許文献２に開示された技術は、上記特許文献１に開示された技術を改良し、画像表示と共に音声を聴くことのできる携帯電話機の充電装置において、表示画面が見やすく、スピーカから十分な音量と高品質の音質を得ることができる有効なものである。なお、携帯電話機を対象としたテレビジョン放送は、ワンセグと称される地上デジタルテレビジョン放送が普及している。
【特許文献１】特許第３５４０２９３号公報（段落［００１４］、図１）
【特許文献２】特開２００５−１３６８９５号公報（段落［００２１］、段落［００２９］〜段落［００３５］、段落［００４０］〜段落［００４２］、図９）
【発明の開示】
【発明が解決しようとする課題】
【０００８】
しかしながら、上記特許文献２に示す従来技術にあっては、卓上ホルダの横に音響反射板、ホーン状部材がはみ出すために横幅方向に場所を多く取るという欠点があった。
【０００９】
また、折り畳みされないストレートタイプの携帯電話機にあっては、長手方向を立てて装着するとスピーカの位置が高くなり卓上ホルダの設置状態が不安定になってしまう。
【００１０】
そのため、ストレートタイプの携帯電話機を充電する携帯電子機器充電装置としては、充電中にスピーカの音声をテーブル、床、壁などに反射させずに出力させると共に、携帯電子機器用充電装置の設置状態を安定にしたものが望まれていた。しかし、このような要望を満たす携帯電子機器用充電装置は上記特許文献１、２で示す従来技術からは得ることができなかった。
【００１１】
そこで、本願の発明者は上記の問題点を解決すべく種々検討を重ねた結果、携帯電子機器用充電装置の装着部に携帯電子機器の長手方向を横向きにした状態で上方に向け傾けて装着し、スピーカからの音声を本体の後面から上方に向かって放出するようになせば、上記の問題点を解消し得ることを想到し本発明を完成するに至ったものである。すなわち、本発明は、上記の問題点を解消することを課題とし、携帯電子機器をその長手方向を横にして装着し、充電中において表示部の表示画面の視認が容易にできると共に、スピーカからの音声を良好に得られる携帯電子機器用充電装置を提供することを目的とするものである。
【課題を解決するための手段】
【００１２】
前記課題を解決するために、本願の請求項１に係る発明は、  載置面としての底部と、横長状の上方を向いて傾斜した前面と、同じく上方を向いて傾斜した後面とを有する本体と、長方形の筐体の表面に表示部と操作部とを配し、該筐体の裏面に一対のスピーカを配し、該筐体に内蔵された電池に充電電圧を印加する充電用端子を該筐体の裏面に配した携帯電子機器を、その長手方向を横向きにした状態で前記筐体の表面を上方に向け傾いて装着するために前記前面に形成された装着部と、前記スピーカが対向する位置と前記後面との間を連なって形成した音声のための一対の通路（例えば、通路２５Ｌ、２５Ｒ）と、前記装着部に設けた前記充電用端子と接続する給電用端子と、を備え、前記携帯電子機器が装着部に装着された状態で上方に向いて傾いた前記表示部による表示動作と前記スピーカにより音声の発生とを行うように構成したことを特徴とする。
【００１３】
また、本願の請求項２に係る発明は、請求項１に係る携帯電子機器用充電装置において、前記通路は、互いに隔壁（例えば、隔壁２６）によって隔てられ、一方の通路が前記本体と該隔壁によってホーン状に形成され、他方の通路が前記隔壁と前記装着部に装着された携帯電子機器の裏面とによってホーン状に形成されていることを特徴とする。
【発明の効果】
【００１４】
本発明は、上述した解決手段により以下に述べるとおりの優れた効果を奏する。即ち、本願の請求項１に係る発明によれば、長方形の筐体の表面に表示部と操作部とを配し、該筐体の後面に一対のスピーカを配し、該筐体に内蔵された電池に充電電圧を印加する充電用端子を該筐体の裏面に配した携帯電子機器を、その長手方向を横向きにした状態で前記筐体の表面を上方に向け傾けて装着するために前記前面に形成された装着部と、前記スピーカが対向する位置と前記後面との間を連なって形成した音声のための一対の通路と、  前記装着部に設けた前記充電用端子と接続する給電用端子とを備えている。
【００１５】
このような構成によれば、装着部に装着されて充電される携帯電子機器の表示部が上方を向いて傾いているので、表示画面が見やすいだけでなく、携帯電子機器が長手方向を横向きにして装着部に装着されているので、テーブル、床等に置いたときに倒れることのない安定した状態を維持できる携帯電子機器用充電装置を提供できる。
【００１６】
また、表示画面で画像を再生すると同時に発生するスピーカからの音声が通路を通して本体の後方に導かれ、導かれた音声が本体の後面から上方に向かってテーブル、壁等に当たることなく直接に放出されるので、音質低下をもたらすことがない。更に、スピーカから音声を送出する部分が携帯用電子機器用充電器の本体からはみ出さないため、設置箇所に大きなスペースを取ることがない。しかも、通路の出口が目に付かない後面にあるので美観上好ましくデザイン性に優れている。
【００１７】
また、本願の請求項２に係る発明によれば、請求項１の携帯電子機器用充電装置において、前記通路は、互いに隔壁によって隔てられ、一方の通路が前記本体と該隔壁によってホーン状に形成され、他方の通路が前記隔壁と前記装着部に装着された携帯電子機器の後面とによってホーン状に形成されている。
【００１８】
このような構成によれば、一対のスピーカから出力された音声は独立した通路によって後面に導かれるので立体効果を損なうことなく本体から放出させる携帯電子機器用充電装置を提供できる。また、一方の通路は、ホーンの壁の一部を携帯電子機器の裏面でもって構成しているので、本体に凹部を形成するだけの簡単な構成でよい。
【発明を実施するための最良の形態】
【００１９】
以下、本発明の具体例を実施例及び図面を用いて詳細に説明する。ただし、以下に示す実施形態は、本発明の技術思想を具体化するための一実施の形態として携帯電話機を例示するものであって、本発明をこの携帯電話機に特定することを意図するものでなく、特許請求の範囲に含まれるその他の実施形態のものにも等しく適用し得るものである。
【実施例】
【００２０】
以下、本発明の実施例について図面を参照して説明する。図１は本発明の実施例における携帯電子機器用充電装置を示す斜視図、図２は図１における携帯電子機器用充電装置の背面図、図３は本発明の実施例に係る携帯電子機器用充電装置に適用される携帯電話機を示す正面図、図４は図３における携帯電話機の側面図、図５は同じく図３における携帯電話機の底面図、図６は同じく図３における携帯電話機の背面図である。
【００２１】
また、図７は図１における携帯電子機器用充電装置をＸ−Ｘ線を断面として携帯電話機を装着する途中の状態を示す説明図、図８は同じく図１における携帯電子機器用充電装置をＸ−Ｘ線を断面として携帯電話機を装着した状態を示す説明図、図９は同じく図１における携帯電子機器用充電装置をＹ−Ｙ線を断面として通路を示す断面図、図１０は本発明の実施例における携帯電話機を装着した携帯電子機器用充電装置を示す斜視図である。
【００２２】
携帯電子機器用充電装置１は、図１と図２に示すように、ＡＢＳ樹脂成型により横長形状の本体２が形成され、テーブル、床等への載置面としての底部２１と、上方を向いて傾斜した横長状の前面２２と、上方を向いて傾斜した横長状の後面２３とを有している。本体２の前面２２には長方形で横長状の傾斜した装着部３が設けられている。
【００２３】
装着部３は、上方の長辺に形成した上部長辺用ガイド３１と、下方の長辺に形成した下部長辺用ガイド３２と、右方にある一方の短辺に形成した第１の短辺用ガイド３３と、左方にある他方の短辺に形成した第２の短辺用ガイド３４とから構成されており、後述する携帯電話機が嵌合されるようになっている。
【００２４】
また、本体２には、上部長辺用ガイド３１、下部長辺用ガイド３２及び本体２が部分的に切り欠かれて形成された切欠部２４が設けられている。
【００２５】
携帯電子機器としての携帯電話機４は、図３に示すように、全体的に長手方向の右方にある長辺４１、長手方向の左方にある長辺４２、下方（操作部４７側）にある短辺４３、及び上方（表示部４６側）にある短辺４４によって長方形に形成されたストレートタイプであって、装着部３と同一の大きさである。
【００２６】
携帯電話機４の筐体４５は、図４、図５に示すように、厚み方向に対して側方から見ても直角の角を有しない全体的に丸みを帯びた形状に形成されている。また、筐体４５の表面には二等分された領域に表示部４６と操作部４７とが配されている。
【００２７】
表示部４６は長辺と短辺とからなる長方形であって長手方向が筐体４５の長手方向に沿って設けられている。そして、表示部４６の画面は携帯電話機４を横にしたときにデジタルテレビジョン放送のワイド画面に相当するものである。
【００２８】
携帯電話機４は、電話機として使用するときには、図３に示すように、表示部４６を上に操作部４７を下にして操作部４７の操作により表示部４６に通話機能を表示して通話を行うようになっている。一方、デジタルテレビジョン放送の受信機として使用するときには、操作部４７の操作により表示部４６をワイド画面として設定できるようになっている。
【００２９】
図６に示すように、筐体４５の裏面には、操作部４７に対応する位置に筐体４５に内蔵された電池（図示せず）に充電電圧を印加する一対の充電用端子４８が設けられている。同じく、筐体４５の裏面には、表示部４６に対応する位置に一対のステレオ用スピーカ４９Ｌ、４９Ｒが設けられている。
【００３０】
図１に示すように、装着部３における携帯電話機４の充電用端子４８に対応する位置には給電用端子３５が配置されている。給電用端子３５は装着部３に設けられた突出片３６が押圧されると突出するようになっている。本体２の内部には、給電用端子３５に接続された充電回路３７が設けられている。
【００３１】
上部長辺用ガイド３１は携帯電話機４の一方の長辺４１に当接し、下部長辺用ガイド３２は携帯電話機４の他方の長辺４２に当接してこれらを案内するものである。ここで、上部長辺用ガイド３１には一方の長辺４１に当接して直線的に案内する垂立壁３１１が形成されている。下部長辺用ガイド３２には他方の長辺４２に当接して直線的に案内する垂立壁３２１が形成されている。
【００３２】
第１の短辺用ガイド３３は、図７で示すように、携帯電話機４の一方の短辺４３に当接してこれを案内するものであって、一方（操作部４７側）の短辺４３の最先端を越えた位置まで延在する湾曲した湾曲壁３３１が形成されている。そして、第１の短辺用ガイド３３の先端には、装着部３と並行に突出した突起片３３２が形成されている。なお、充電回路３７は充電動作を行うとある程度発熱するので、その近くに設けられている第１の短辺用ガイド３３は耐熱性に優れた合成樹脂である耐熱ＡＢＳ樹脂によって成型されている。
【００３３】
第２の短辺用ガイド３４は、同じく図７で示すように、携帯電話機４の他方の短辺４４に当接してこれを案内するものであって、他方（表示部４６側）の短辺４４の最先端を越えた位置まで延在する湾曲した湾曲壁３４１が形成されている。そして、第２の短辺用ガイド３４の先端には、装着部３から離れた位置から装着部３に向かって低くなる傾斜面３４２が形成されている。なお、第２の短辺用ガイド３４は本体２と同じくＡＢＳ樹脂によって成型されている。
【００３４】
また、第２の短辺用ガイド３４は、本体２に対してその長手方向に摺動自在に取付けられ、装着部３に位置する携帯電話機４の他方の短辺４４に当接する位置と、装着部３に位置する携帯電話機４から離れる位置とを取るようになっている。更に、第２の短辺用ガイド３４は、本体２との間にスプリング３４３が装架され、常に装着部３に位置する携帯電話機４に接近する方向に偏倚されている。
【００３５】
さらに、本体２には、図１に示すように、装着部３に装着された携帯電話機４のスピーカ４９Ｌ、４９Ｒに対向する位置と、本体２の後面２３との間を連なる通路２５Ｌ、２５Ｒが形成されている。
【００３６】
通路２５Ｌと通路２５Ｒは、詳細には、図９で示すように隔壁２６によって隔てられている。通路２５Ｌは、本体２と隔壁２６とによってホーン状に形成され、一端が入口としてスピーカ４９Ｌに対向して位置され、他端が出口として後面２３に位置されている。通路２５Ｒは、本体２に形成された隔壁２６を底面とする凹部と携帯電話機４の裏面とによってホーン状に形成され、一端が入口としてスピーカ４９Ｒに対向して位置され、他端が出口として後面２３に位置されている。
【００３７】
次に、上述した構成による携帯電子機器用充電装置１に携帯電話機４を装着する方法とその動作について、図７〜図１０を参照して説明する。
【００３８】
まず、携帯電話機１を携帯電子機器用充電装置１に装着するが、この装着方法は、図７で示すように、携帯電話機１の一方（操作部４７側）の短辺４３を第１の短辺用ガイド３３の湾曲壁３３１に当てる。一方の短辺４３を湾曲壁３３１に当てた状態で、この当接部分を支点とし他方（表示部４６側）の短辺４４が第２の短辺用ガイド３４の先端の傾斜面３４２に当るまで携帯電話機４を回動させる。
【００３９】
そして、図７に示すように、携帯電話機４を回動させながら矢印Ａで示す方向に強く押圧する。この押圧力によって、第２の短辺用ガイド３４は矢印Ｂで示すように本体２の外側に向かって移動するように大きな力を受ける。そのため、第２の短辺用ガイド３４はスプリング３４３の偏倚力に逆らって、本体２の外側に向かって変位される。そのため、短辺４４の先端部分が傾斜面３４２を滑って湾曲壁３４１に至る。
【００４０】
この装着においては、指を携帯電話機４の両側面にある長辺４１と長辺４２にかけて携帯電話機４を保持するが、この指は切欠部２４によって装着完了までかけておくことができる。
【００４１】
携帯電話機４の長辺４１、４２は上部長辺用ガイド３１の垂直壁３１１と下部長辺用ガイド３２の垂直壁３２１に沿って案内される。
【００４２】
第２の短辺用ガイド３４がスプリング３４３によって装着部３の方向に偏倚されているので、携帯電話機４の他方の短辺４４は湾曲壁３４２によって装着部３の底面に向けて押し下げられる。そのため、携帯電話機４の裏面が装着部３の底面に密着される。
【００４３】
この状態では、携帯電話機４は、図８に示すように、一方の短辺４３（操作部４７側）と他方（表示部４６側）の短辺４４が第１の短辺用ガイド３３と第２の短辺用ガイド３４によって挟持されると共に、丸みを帯びた一方の短辺４３が湾曲壁３３１に密着し、他方の短辺４４が湾曲壁３４１に密着しているので、装着部３から抜け出ることがない。
【００４４】
一方、携帯電話機４は、図９に示すように、携帯電話機４の両側面にある長辺４１と長辺４２が上部長辺用ガイド３１と下部長辺用ガイド３２に当接しているため、携帯電話機４は装着部３から上方及び下方にずれない。
【００４５】
装着状態においては、突出片３６が携帯電話機４によって押圧されることにより給電用端子３５を突出させる。突出した給電用端子３５は携帯電話機４の充電用端子４９に接触され充電が行われる。
【００４６】
図９で示すように、スピーカ４９Ｌには、通路２５Ｌの入口が対向する。スピーカ４９Ｒに接近した本体２には、本体２と携帯電話機４の裏面とによりホーン状の通路２５Ｒが形成され、その入口がスピーカ２５Ｒに対向する。
【００４７】
このように、携帯電子機器用充電器１は、携帯電話機４を装着した状態でテーブル等に置いて操作部４７を操作しデジタルテレビジョン放送の受信を行って表示部４６における画像表示をワイド画面で行うことができる。このデジタルテレビジョン放送の受信における音声はスピーカ４９Ｌ、４９Ｒから発生され、通路２５Ｌ、２５Ｒを通して本体２の後面２３へと導かれる。そして、音声は上方を向いた通路２５Ｌ、２５Ｒを通して後面２３から独立してテーブル、壁等に当たらず直接に放出される。
【００４８】
携帯電話機４を装着部３から取り出す場合には、以下のような取り扱いによって取出しが達成される。
【００４９】
まず、切欠部２４によって露出された上方の長辺４１と下方の長辺４２とに指をかけて携帯電話機１を保持して携帯電話機４を本体２から持ち上げる。携帯電話機４は持ち上げられると、第２の短辺用ガイド３４において丸みを帯びた一方（表示部４６側）の短辺４４が湾曲面３４１をすべりながら上昇し、他方のガイド部３４を装着部３から離れる方向に変位させる。
【００５０】
このとき、上部長辺用ガイド３１、下部長辺用ガイド３２は、垂立壁３１１、３２１の平面が上方の長辺４１と下方の長辺４２に接しているので、携帯電話機４が装着部３から上方に離脱することを何ら制限しない。その結果、一方（表示部４６側）の短辺４４部分が第２の短辺用ガイド３４から離脱されるため、携帯電話機４をずらすことにより第１の短辺用ガイド３３から他方（操作部４７側）の短辺４３を離脱させることができる。これによって、携帯電話機４は装着部３から取り出され充電動作が終了される。
【００５１】
したがって、上述した実施例の携帯電子機器用充電装置１は、ストレートタイプの携帯電話４を長手方向を横向きにして装着部３に装着するので、テーブル、床等に置いたときに倒れることのない安定した状態を維持できる。
【００５２】
また、携帯電話機４を装着部３に装着した状態では、スピーカ４９Ｌ、４９Ｒが夫々通路２５Ｌ、２５Ｒの入口に対向するので、携帯電子機器用充電装置１により充電すると同時にデジタルテレビジョン放送を受信してスピーカ４９Ｌ、４９Ｒで音声を再生した場合、音声が通路２５Ｌ、２５Ｒを通して上方に向けて傾斜した後面２３から放出される。そのため、テーブル、壁などに反射されないため、テーブル、壁等を振動させてビリつきを発生させてしまうという音質の低下がない。
【００５３】
また、通路２５Ｌ、２５Ｒは、上方に向けて傾斜した前面２２と同じく上方に向けて傾斜した後面２３との間に形成したので、本体２から突出する部分がなく携帯電子機器用充電装置１がコンパクトになり載置のスペースを大きく取らない。一方の通路２５Ｒは、ホーンの壁の一部を携帯電話機４の裏面でもって構成しているので、本体２に凹部を形成するだけの簡単な構成でよい。
【００５４】
また、携帯電話機４に充電中にデジタルテレビジョン放送を受信する際に、携帯電話機４が装着部３に斜め上方に傾いて装着されているので表示部４６に表示される画像が見やすい。また、携帯電話機４は長手方向を横にして装着されているので、表示部４６を横長な状態としてワイド画面として利用できる。
【００５５】
なお、上述した本発明の実施例においては、携帯電子機器として携帯電話機４を適用したが、本発明はこれに限定されることなく、携帯型テレビジョン受像機、ＰＤＡ等の種々の携帯電子機器に適用できる。
【図面の簡単な説明】
【００５６】
【図１】本発明の実施例における携帯電子機器用充電装置を示す斜視図である。
【図２】図１における携帯電子機器用充電装置の背面図である。
【図３】本発明の実施例に係る携帯電子機器用充電装置に適用される携帯電話機を示す正面図である。
【図４】図３における携帯電話機の側面図である。
【図５】図３における携帯電話機の底面図である。
【図６】図３における携帯電話機の背面図である。
【図７】図１における携帯電子機器用充電装置をＸ−Ｘ線を断面として携帯電話機を装着する途中の状態を示す説明図である。
【図８】図１における携帯電子機器用充電装置をＸ−Ｘ線を断面として携帯電話機を装着した状態を示す説明図である。
【図９】図１における携帯電子機器用充電装置をＹ−Ｙ線を断面として通路を示す断面図である。
【図１０】本発明の実施例における携帯電話機を装着した携帯電子機器用充電装置を示す斜視図である。
【符号の説明】
【００５７】
１              携帯電子機器用充電装置
２              本体
３              装着部
４              携帯電話機
２１            底面
２２            前面
２３            後面
２４            切欠部
２５Ｌ、２５Ｒ  通路
２６            隔壁
３１            上部長辺用ガイド
３２            下部長辺用ガイド
３３            第１の短辺用ガイド
３４            第２の短辺用ガイド
３５            給電用端子
３６            突出片
３７            充電回路
４１、４２      長辺
４３、４４      短辺
４５            筐体
４６            表示部
４７            操作部
４８            充電用端子
４９Ｌ、４９Ｒ  スピーカ
３１１、３２１  垂立壁
３３１、３４１  湾曲壁
３３２          突起片
３４２          傾斜面
３４３          スプリング
【図１】
2009111858.tif 000003
【図２】
2009111858.tif 000004
【図３】
2009111858.tif 000005
【図４】
2009111858.tif 000006
【図５】
2009111858.tif 000007
【図６】
2009111858.tif 000008
【図７】
2009111858.tif 000009
【図８】
2009111858.tif 000010
【図９】
2009111858.tif 000011
【図１０】
2009111858.tif 000012